(57)【要約】【課題】、エアフィルタ外枠の対向する２辺の外枠を、本体パネルに確実に係止できながら本体パネルから簡単な操作で取外すことができるようにした天井設置形空気調和機のエアフィルタ着脱装置に関する技術である。【解決手段】スライド爪を、係合片と、案内軸部にスライド可能なスリット状切欠部と操作部と、案内フランジ部の底面に対してスリット状切欠部における上面が内部下方側に傾斜する傾斜面と、スライド爪によるエアフィルタ外枠の本体パネルへの解除時に底面がストパー部の上面に位置可能な内側片とを一体に形成しているから、運転振動などで、スライド爪の内側片がエアフィルタの自重によりストッパー部を乗り越えてエアフィルタが外れることがなく、スライド爪の操作部を水平方向に動かす通常の操作で、スライド爪に回転方向の動きを付与して、エアフィルタを簡単に外すことができるのである。【選択図】図８
2014105959.tif 000002
【特許請求の範囲】
【請求項１】
空気調和機本体の底面に着脱可能に設けたエアフィルタと、略水平に設置した矩形状のエアフィルタ外枠を係止する本体パネルとを備えた天井設置型空気調和機のエアフィルタ着脱装置において、
前記エアフィルタ外枠の対向する２辺のうちの第一外枠に形成し前記本体パネルのパネル係合部に係合とその解除が可能な、案内部及びスライド爪を有する第一外枠係合部と、
前記第一外枠に対向する第二外枠に形成し前記本体パネルのパネル支持部を支持可能な第二外枠支持部と、
前記スライド爪の操作部を底面から操作可能な前記第一外枠係合部に形成した操作孔部と、
前記スライド爪による前記エアフィルタ外枠の前記本体パネルへの係合時に前記スライド爪の内側片のストッパーとなる前記第一外枠係合部に形成したストッパー部と、
を備えるとともに、
前記案内部は、前記第一外枠の上面に固定した案内軸部とその上端の底面が前記案内軸部より大きな案内フランジ部とを備え、
前記スライド爪は、前記第一外枠の上方で前記パネル係合部の上面に位置する係合片と、前記案内軸部にスライド可能な長孔又はスリット状切欠部と、下方に突出する前記操作部と、前記案内フランジ部の底面に対して前記長孔又はスリット状切欠部における上面が内部下方側に傾斜する傾斜面と、前記操作部の内部側に形成し前記スライド爪による前記エアフィルタ外枠の前記本体パネルへの解除時に底面が前記ストパー部の上面に位置可能な前記内側片とを一体に形成したことを特徴とする天井設置形空気調和機のエアフィルタ着脱装置。
【請求項２】
前記スライド爪と前記パネル係合部とが係合している状態では、前記第一外枠上面と前記スライド爪の下面との間に第一隙間を形成するとともに、前記内側片７２と前記ストッパー部との間に第二隙間を形成したことを特徴とする請求項１に記載の天井設置形空気調和機のエアフィルタ着脱装置。
【請求項３】
前記案内部を小ねじと座金とで形成し、前記座金を前記案内フランジ部とし、前記第一外枠係合部の上面に形成したねじ座に前記小ねじを固定したことを特徴とする請求項１又は２に記載の天井設置形空気調和機のエアフィルタ着脱装置。
【請求項４】
前記第二外枠支持部は、前記第二外枠の上方で前記パネル支持部の上面に位置する支持片を有する固定爪を前記第二外枠の上面に形成したねじ座に小ねじで固定したことを特徴とする請求項１〜３のいずれかに記載の天井設置形空気調和装置のエアフィルタ着脱装置。
【請求項５】
前記第一外枠に二つの前記第一外枠係合部と、前記第二外枠に二つの前記第二外枠支持部とを備えていることを特徴とする請求項１〜４のいずれかに記載の天井設置形空気調和機のエアフィルタ着脱装置。
【請求項６】
前記エアフィルタは、前記エアフィルタ外枠とエアフィルタ濾材とを合成樹脂により一体に形成していることを特徴とする請求項１〜５のいずれかに記載の天井設置形空気調和機のエアフィルタ着脱装置。
【発明の詳細な説明】
【技術分野】
【０００１】
本発明は、天井設置形空気調和機のエアフィルタ着脱装置に係り、エアフィルタ外枠の対向する２辺の外枠を、本体パネルに確実に係止できながら本体パネルから簡単な操作で取外すことができるようにした技術である。
【背景技術】
【０００２】
空気調和機は、機内に空調室内で発生した塵埃が吸込まれ室内熱交換器に付着することで性能低下に至ることから、吸込側にエアフィルタを設けている。
また、エアフィルタ自体に塵埃が付着することでも性能低下に至るため、エアフィルタの清掃や交換を定期的に行うことが必要である。
【０００３】
そこで、従来、天井設置形空気調和機のエアフィルタ着脱装置として、図９（ａ）〜（ｃ）に示すものが知られている（例えば、非特許文献１参照）。
非特許文献１に記載の従来の技術は、エアフィルタ９におけるエアフィルタ外枠９１の対向する２辺のうちの第一外枠９１ａに形成し本体パネルのパネル係合部に係合とその解除が可能な、案内部９２及びスライド爪９３を有する第一外枠係止部９４を備えている。
【０００４】
前記スライド爪９３は、底面から操作可能な前記第一外枠係止部９４に形成した操作孔部９５から前記スライド爪９３に形成した操作部９３ａを内部側にスライドすることにより、スリット状切欠部９６が前記案内部９２の案内軸部９２ａにガイドされるようにしている。
前記エアフィルタ９を着脱するために、前記スライド爪９３をスライドすると、前記スライド爪９３の両側部に形成した一対の突起部９３ｂは、前記第一外枠係止部９４に形成した一対の着脱用立設壁９７におけるスライド抵抗壁部９７ａを通過して係止用切欠部９７ｂと解除用切欠部９７ｃとのいずれかの切欠部に係止することとなるのである。
【先行技術文献】
【非特許文献】
【０００５】
【非特許文献１】ＭＩＴＳＵＢＩＳＨＩ  三菱電機パーケージエアコン（冷媒Ｒ４１０Ａ対応）  Ｍｒ．ＳＬＩＭ  ＭＰＬ−ＲＰ・ＬＡ  ＭＰＤ−ＲＰ・ＦＡ２  ＭＰＥ−ＲＰ・ＣＡシリーズ  取扱説明書  三菱電機株式会社  ２０１１年  Ｐ２０
【発明の概要】
【発明が解決しようとする課題】
【０００６】
非特許文献１に記載された従来の技術は、前記エアフィルタ９の清掃のため、前記エアフィルタ９を定期的に前記本体パネルから着脱する必要があり、着脱時に前記スライド爪９３をスライドさせることを繰り返すことにより、前記突起部９３ｂと前記スライド抵抗壁部９７ａとの接触部の摩耗が生じ、前記スライド爪９３によるエアフィルタ９の係止機能が低下するという課題があった。
特に、天井設置形空気調和機では、前記スライド爪９３が運転振動などで前記係止用切欠部９７ｂから解除用切欠部９７ｃに動くと前記エアフィルタ９頭上から落下し、事故につながるという課題があった。
【０００７】
また、製品使用期間中の係止機能を保持させるために、前記突起部９３ｂを大きくすることも考えられるが、製品使用の初期段階において前記スライド爪９１のスライド操作が硬くなり操作性を低下させるという新たな課題が生じて採用できないのである。
特に、天井設置形空気調和機では、前記スライド爪９３のスライド操作が硬いと、脚立に上がっての作業であるため、足場が悪く前記エアフィルタ９の着脱が困難となるという課題があった。
【０００８】
本発明は、非特許文献１に記載の従来例の天井設置形空気調和機のエアフィルタ着脱装置における課題を解決して、エアフィルタのパネル本体への係合を確実にできながら着脱時の作業性を損なわないようにすることを目的としている。
【課題を解決するための手段】
【０００９】
本発明の天井設置形空気調和機のエアフィルタ着脱装置は、空気調和機本体の底面に着脱可能に設けたエアフィルタと、略水平に設置した矩形状のエアフィルタ外枠を係止する本体パネルとを備えた天井設置型空気調和機のエアフィルタ着脱装置において、エアフィルタ外枠の対向する２辺のうちの第一外枠に形成し本体パネルのパネル係合部に係合とその解除が可能な、案内部及びスライド爪を有する第一外枠係合部と、第一外枠に対向する第二外枠に形成し本体パネルのパネル支持部を支持可能な第二外枠支持部と、スライド爪の操作部を底面から操作可能な第一外枠係合部に形成した操作孔部と、スライド爪によるエアフィルタ外枠の本体パネルへの係合時にスライド爪の内側片のストッパーとなる第一外枠係合部に形成したストッパー部と、を備えるとともに、案内部は、第一外枠の上面に固定した案内軸部とその上端の底面が案内軸部より大きな案内フランジ部とを備え、スライド爪は、第一外枠の上方でパネル係合部の上面に位置する係合片と、案内軸部にスライド可能な長孔又はスリット状切欠部と、下方に突出する操作部と、案内フランジ部の底面に対して長孔又はスリット状切欠部における上面が内部下方側に傾斜する傾斜面と、操作部の内部側に形成しスライド爪によるエアフィルタ外枠の本体パネルへの解除時に底面がストパー部の上面に位置可能な内側片とを一体に形成したものである。
【発明の効果】
【００１０】
本発明の天井設置形空気調和機のエアフィルタ着脱装置は、スライド爪を、第一外枠の上方でパネル係合部の上面に位置する係合片と、案内軸部にスライド可能な長孔又はスリット状切欠部と、下方に突出する操作部と、案内フランジ部の底面に対して長孔又はスリット状切欠部における上面が内部下方側に傾斜する傾斜面と、操作部の内部側に形成しスライド爪によるエアフィルタ外枠の本体パネルへの解除時に底面がストパー部の上面に位置可能な内側片とを一体に形成しているから、運転振動などで、スライド爪の内側片がエアフィルタの自重によりストッパー部を乗り越えることがなく、エアフィルタが外れることがない。
また、スライド爪の内側片がストッパー部を乗り越えるように操作するための知識がなくても、また、その構造を理解していなくても、スライド爪の操作部を水平方向に動かす通常の操作で、スライド爪に回転方向の動きを付与して、エアフィルタを外すことができるのである。
【図面の簡単な説明】
【００１１】
【図１】本発明の実施の形態１に係るエアフィルタ着脱装置を内蔵した天井設置形空気調和機を示す斜視図である。
【図２】本発明の実施の形態１に係る天井設置形空気調和機のエアフィルタ着脱装置におけるエアフィルタを示す平面斜視図である。
【図３】本発明の実施の形態１に係る天井設置形空気調和機のエアフィルタ着脱装置における第一外枠係合部を示す分解斜視図ある。
【図４】本発明の実施の形態１に係る天井設置形空気調和機のエアフィルタ着脱装置における第一外枠係合部を示す斜視図であり、（ａ）は平面斜視図、（ｂ）は底面斜視図である。
【図５】図４（ａ）のＡ−Ａ線断面図であり、（ａ）は第一外枠係合部の係合時の断面図、（ｂ）は第一外枠係合部の解除時の断面図である。
【図６】本発明の実施の形態１に係る天井設置形空気調和機のエアフィルタ着脱装置におけるエアフィルタ及び本体パネルを示す平面斜視図である。
【図７】図６のＢ−Ｂ線断面拡大図である。
【図８】図７の部分拡大図であり、（ａ）はスライド爪周りを示す係合時の部分拡大図、（ｂ）は固定爪周りを示す部分拡大図、（ｃ）はスライド爪周りを示す解除時の部分拡大図である。
【図９】従来の天井設置形空気調和機のエアフィルタ着脱装置における第一外枠係合部周りを示す図面で、（ａ）は斜視図、（ｂ）は平面図、（ｃ）は底面図である。
【発明を実施するための形態】
【００１２】
実施の形態１．
本発明の実施の形態１を図１〜図８に基づいて説明する。
図１において、１は、天井に埋め込んで設置する天井設置形空気調和機であり、本体パネル１１及び本体ケーシング１２を備えている。
【００１３】
前記本体パネル１１には、一対の吹出口１３、一対の吸込口１４及び点検パネル１５を設けている。
そして、前記天井設置形空気調和機１は、本発明の特徴であるエアフィルタ着脱装置を内蔵しており、前記点検パネル１５を開いてエアフィルタの着脱を行うようにしている。
【００１４】
図２は、エアフィルタ２の平面斜視図であり、前記エアフィルタ２は、略水平に設置した矩形状のエアフィルタ外枠３とエアフィルタ濾材２１とをポリプロピレン合成樹脂により一体に形成して、構造を簡単にしている。
また、図２において、前記エアフィルタ外枠３の対向する長手方向の２辺のうちの第一外枠３１に二つの第一外枠係合部４を形成しており、前記第一外枠３１に対向する第二外枠３２に二つの第二外枠支持部５を形成し、前記エアフィルタ２の着脱を安定に行うことができるようにしている。
【００１５】
前記第一外枠係合部４は、図３〜図５に示すように、案内部６とスライド爪７とを有し、前記スライド爪７の操作部７１を底面から操作可能な操作孔部４１、前記スライド爪７の内側片７２のストッパーとなる一対のストッパー部４２及び一対の凸状のスライド爪載置部４３（図３参照）を形成している。
前記案内部６は、前記第一外枠３１の上面に固定した案内軸部６１とその上端の底面が前記案内軸部６１よりも大きな案内フランジ部６２とを備えている。
【００１６】
前記案内部６は、具体的には前記案内軸部６１としての小ねじ６１と前記案内フランジ部６２としての座金とで構成しており、前記第一外枠３１の上面に形成したねじ座３１ａに前記座金６２を介して前記小ねじ６１を固定して、構造を簡単にしている。
前記スライド爪７は、前記第一外枠３１の上方でパネル係合部１１ａ（図８参照）の上面に位置する係合片７３と、前記案内軸部６１にスライド可能なスリット状切欠部７４と、下方に突出する前記操作部７１と、前記案内フランジ部６２の底面に対して前記スリット状切欠部７４における上面の内部側が内部下方側に傾斜（例えば、５度から１５度程度の傾斜）する傾斜面７５と、前記操作部７１の内部側に形成し前記スライド爪７による前記エアフィルタ外枠３の前記本体パネル１１への解除時に底面が前記ストパー部４２の上面に位置可能な前記内側片７２とを一体に形成している。
【００１７】
次に、図６〜図８により、前記第二外枠支持部５と前記本体パネル１１のパネル支持部１１ｂとの支持構造について説明するとともに、前記案内部６及び前記スライド爪７を有する前記第一外枠係合部４と、前記本体パネル１１の前記パネル係合部１１ａの係合とその解除について説明する。
前記本体パネル１１は、図１において既に一部説明したが、図６に示すように、一対の前記吹出口１３及び一対の前記吸込口１４を備え、前記エアフィルタ２を前記エアフィルタ外枠３における前記第一外枠係合部４及び前記第二外枠支持部５により前記本体パネル１１に固定している。
【００１８】
前記第二外枠支持部５は、前記第二外枠３２の上方で前記パネル支持部１１ｂの上面に位置する支持片８１を有する固定爪８を前記第二外枠３２の上面に形成したねじ座（図示せず）に小ねじ５１で固定するようにして、前記第一外枠３１と前記第二外枠３２とを対称に形成することにより、図７において前記第一外枠係合部４と前記第二外枠支持部５とを左右変更可能しているのである。。
前記固定爪８は、図８（ｂ）に示すように、前記スライド爪７と一部同様な構成を備えているが、前記スライド爪７に形成した前記操作部７１及び前記傾斜面７５を備えておらず、スリット状切欠部（図示せず）を備えているが、前記小ねじ５１に対してスライド不能としている。
【００１９】
前記第一外枠係合部４と、前記本体パネル１１の前記パネル係合部１１ａの係合とその解除は、図８（ａ）及び（ｃ）に示すように、前記スライド爪７と前記パネル係合部１１ａとが係合している状態（図８（ａ）参照）では、前記第一外枠３１の一対の凸状のスライド爪載置部４３の上面と前記スライド爪７の下面との間に僅かな第一隙間４４（例えば、０．５ｍｍ程度）を形成するとともに、前記スライド爪７の前記内側片７２と前記ストッパー部４２との間に第二隙間４５（例えば、１ｍｍ程度）を形成している。
また、図５（ａ）に示す前記パネル係合部１１ａに係合していない状態では、前記案内フランジ部６２の底面に対して前記スリット状切欠部７４における上面平坦部との間に僅かな隙間（例えば、０．５ｍｍ程度）が生じるのである。
【００２０】
そして、前記スライド爪７の前記操作部７１を前記操作孔部４１から図８（ａ）において右側に操作すれば、前記第一隙間４４、前記第二隙間４５及び前記傾斜面７５により、反時計回りの回動が付加されて、前記スライド爪７の前記内側片７２の底面が前記ストッパー部４２の上面に位置して、図８（ｃ）に示すように、前記第一外枠係合部４と前記本体パネル係合部１１ａとの係合が解除されて、前記エアフィルタ２を斜め下方に引出すことにより前記本体パネル１１から取外すことができるのである。
このように、前記第一隙間４４、前記第二隙間４５及び前記傾斜面７５を形成することにより、前記操作部７１を前記スライド爪７の前記内側片７２が前記ストッパー部４２を乗り越えるように操作するための知識がなくても、また、その構造を理解していなくても、前記スライド爪７の前記操作部７１を水平方向に動かす通常の操作で、前記スライド爪７への回転方向の動きの付与がきわめて容易となるのである。
【００２１】
実施の形態１の変形例
以上の実施の形態１では、第一外枠３１の一対の凸状のスライド爪載置部４３の上面とスライド爪７の下面との間に僅かな第一隙間４４を形成するとともに、スライド爪７の内側片７２とストッパー部４２との間に第二隙間４５を形成することにより、スライド爪７の操作部７１を操作したときに、回動が付加されやすいようにしているが、これらの第一隙間４４及び第二隙間４５を形成せずに、スリット状切欠部７４の傾斜面７５並びに第一外枠３１及びスライド爪７の弾性により回動を付加することもできる。
また、以上の実施の形態では、案内部６を小ねじ６１と座金６２とで形成し、座金６２を案内フランジ部とし、第一外枠係合部４の上面に形成したねじ座３１ａに小ねじ６１を固定するようにして、構造を簡略化したが、小ねじの頭部が大きければ座金は不要であり、さらに、案内軸部及び案内フランジ部を第一外枠に一体成形することもできる。
【００２２】
以上の実施の形態１では、第二外枠支持部５は、第二外枠３２の上方でパネル支持部１１ｂの上面に位置する支持片８１を有する固定爪８を第二外枠３２の上面に形成したねじ座に小ねじで固定するようにして、第一外枠３１と第二外枠３２とを対称に形成し、図７において第一外枠係合部４と第二外枠支持部５とを左右変更可能としているが、第二外枠支持部は本体パネル１１のパネル支持部１１ｂに支持される構造であればよい。
また、以上の実施の形態１では、２つの第一外枠係合部４及び２つの第二外枠支持部５を備えることにより、安定したエアフィルタ２の着脱ができるようにしたが、それぞれ一つでもよく、一方が２つでもよい。
【００２３】
以上の実施の形態１では、エアフィルタ濾材２１とエアフィルタ外枠３とを一体に形成して、構造を簡単にしたが、エアフィルタ外枠３にエアフィルタ濾材２１を着脱可能としてエアフィルタ濾材のみを交換するようにしてもよい。
また、以上の実施の形態１では、スライド爪７にスリット状切欠部７４を形成したが、スリット状切欠部に変えて長孔でもよい。
【００２４】
以上の実施の形態１では、天井設置形空気調和機１を天井に埋め込んで設置する設置形式としたが、空気調和機を天井に吊下げて設置する設置形式でもよい。
【符号の説明】
【００２５】
１  天井設置形空気調和機
２  エアフィルタ
３  エアフィルタ外枠
４  第一外枠係合部
５  第二外枠支持部
６  案内部
７  スライド爪
８  固定爪
１１  本体パネル
１１ａ  パネル係合部
１１ｂ  パネル支持部
１２  本体ケーシング
１３  吹出口
１４  吸込口
１５  点検パネル
２１  エアフィルタ濾材
３１  第一外枠
３１ａ  ねじ座
３２  第二外枠
４１  操作孔部
４２  ストッパー部
４３  スライド爪載置部
４４  第一隙間
４５  第二隙間
５１  小ねじ
６１  案内軸部（小ねじ）
６２  案内フランジ部（座金）
７１  操作部
７２  内側片
７３  係合片
７４  スリット状切欠部
７５  傾斜面
【図１】
2014105959.tif 000003
【図２】
2014105959.tif 000004
【図３】
2014105959.tif 000005
【図４】
2014105959.tif 000006
【図５】
2014105959.tif 000007
【図６】
2014105959.tif 000008
【図７】
2014105959.tif 000009
【図８】
2014105959.tif 000010
【図９】
2014105959.tif 000011